(57)【特許請求の範囲】
【請求項１】
商品収納構造において、
上部より上方に突出した可撓性の突出部が設けられている複数の商品と、
前記商品を複数並べて収納しているとともに、複数のフラップで構成された開閉部が上部に形成されているセット箱とを有し、
閉じた状態にある前記開閉部を開く場合、前記開閉部を構成する一のフラップの押圧力によって変形していた前記突出部のそれぞれが、前記突出部の材質の復元力によって上方へ起立することを特徴とする商品収納構造。
【請求項２】
商品収納構造において、
上部より上方に突出した可撓性の突出部が設けられている複数の商品と、
前記商品を複数並べて収納しており、複数のフラップで構成された開閉部が上部に形成されており、かつ、前記開閉部を含む上部を取り除くためのミシン目が形成されているセット箱とを有し、
前記開閉部が閉じられた状態にある前記セット箱の上部を取り除く場合、前記開閉部を構成する一のフラップの押圧力によって変形していた前記突出部のそれぞれが、前記突出部の材質の復元力によって上方へ起立することを特徴とする商品収納構造。
【請求項３】
前記突出部は、前記商品からの高さが上縁部位によって異なり、最も低い第１の上縁部位と、当該第１の上縁部位よりも高い第２の上縁部位とを含む上縁形状を有し、
前記一のフラップは、前記フラップの付け根からの長さが先端部位によって異なり、最も長い第１の先端部位と、当該第１の先端部位よりも長さが短い第２の先端部位とを含む先端形状を有し、
前記一のフラップが前記突出部を押圧する際、前記第１の上縁部位と前記第１の先端部位とが位置的に対応するとともに、前記第２の上縁部位と前記第２の先端部位とが位置的に対応することを特徴とする請求項１または２に記載された商品収納構造。
【請求項４】
前記一のフラップには、切り込みが設けられており、
前記切り込みは、前記フラップの付け根からの距離が切込部位によって異なり、最も距離が長い第１の切込部位と、当該第１の切込部位よりも距離が短い第２の切込部位とを含む切込形状を有し、
前記一のフラップが前記突出部を押圧する際、前記第１の上縁部位と前記第１の切込部位とが位置的に対応するとともに、前記第２の上縁部位と前記第２の切込部位とが位置的に対応することを特徴とする請求項１から３のいずれかに記載された商品収納構造。
【請求項５】
前記切り込みは、複数設けられており、
前記一のフラップが前記突出部を押圧する際、前記切り込みのそれぞれと、前記突出部のそれぞれとが位置的に対応することを特徴とする請求項４に記載された商品収納構造。
【請求項６】
前記突出部は、貼付ラベルまたは前記商品と一体形成されたタブであって、前記商品に関する広告または説明が印刷された印刷面を有することを特徴とする請求項１から５のいずれかに記載された商品収納構造。
【請求項７】
前記一のフラップは、前記セット箱の前から後に向かって延在しており、
前記突出部のそれぞれは、前記セット箱の前後方向に並んでいるとともに、前記一のフラップの押圧力によって、前記セット箱の後方に倒れていることを特徴とする請求項１から６のいずれかに記載された商品収納構造。
【請求項８】
前記開閉部は、前記セット箱の前から後に向かって延在する第１のサイドフラップと、前記セット箱の後から前に向かって延在する第２のサイドフラップと、前記セット箱の横方向に延在するメインフラップとを有し、
前記第１のサイドフラップは、前記一のフラップに相当し、かつ、前記セット箱の前面から最後列の前記突出部までの距離よりも長い延在長を有することを特徴とする請求項７に記載された商品収納構造。
【請求項９】
前記一のフラップには、当該フラップの延在方向に対して垂直な折曲罫線またはミシン目が少なくとも一本設けられていることを特徴とする請求項７に記載された商品収納構造。
【請求項１０】
前記セット箱の底部は、ワンタッチ底であることを特徴とする請求項１から９のいずれかに記載された商品収納構造。
【請求項１１】
前記セット箱の前面下端には、底部よりも下方に延在する突出脚が設けられていることを特徴とする請求項１から１０のいずれかに記載された商品収納構造。
【請求項１２】
上部より上方に突出した可撓性の突出部を有する商品を複数並べてセット箱内に収納する商品収納方法において、
所定形状に切り抜かれた紙を折り曲げ、所定箇所を接着することによって、複数のフラップで構成された開閉部を上部に有するセット箱を組立てる第１のステップと、
前記開閉部を開いた状態で、前記商品を複数並べて前記セット箱内に収納する第２のステップと、
前記開閉部を構成する一のフラップを外側に湾曲させながら閉じていき、前記一のフラップの押圧力によって、前記商品のそれぞれが有する前記突出部を変形させる第３のステップと、
前記一のフラップ上に残りのフラップを重ねて、前記開閉部を閉じる第４のステップと
を有することを特徴とする商品収納方法。
【請求項１３】
前記第３のステップは、前記突出部の上縁部のうち、前記商品からの高さが最も低い部位を、前記一のフラップの先端部のうち、前記フラップの付け根からの長さが最も長い部位で押圧するステップを含むことを特徴とする請求項１２に記載された商品収納方法。
【発明の詳細な説明】
【０００１】
【発明の属する技術分野】
本発明は、商品を複数個並べてセット箱に収納した商品収納構造および商品収納方法に関する。
【０００２】
【従来の技術】
パッケージングされた商品を複数個並べて収納・陳列するディスプレイ兼用セット箱として、例えば、特開平８−３０１２７２号公報が知られている。この公報に開示されたセット箱は、店頭で商品を陳列する際、側面に形成されたミシン目に沿って、フラップタイプの開閉部を含む上部を切り取る。箱の上部が取り除かれたセット箱は、長方形状の底部（ワンタッチ底）と、この底部の各縁より上方に立設した前後左右の側面板と、上方の開口部とを有する。前面板の高さは、後面板の高さよりも低く形成されている。また、前面板の下端には、底部より下方に突出した突出脚が形成されているため、セット箱の前から後に向かって、底部が下方に傾斜する。この底部の傾斜に従い、セット箱内に収納された個々の商品も後傾する。したがって、陳列されている商品の前倒を防止できるとともに、商品の正面にプリントされた表記や装飾等を顧客がよく見えるように陳列することができる。
【０００３】
【発明が解決しようとする課題】
ところで、商品のパッケージング形状には様々なものがあるが、その一形状として、パッケージ箱の上部より上方に突出した突出部が設けられているものがある。例えば、顧客のアイキャッチを高めるために、キャッチラベルを、上方に突出させた形態で箱の上部に貼付けることがある。また、商品の上部より突出したタブを、箱に一体形成することもある。さらに、商品の上部中央に突出したフックを、箱に一体形成することもある。これらの形状では、一体的に、或いは別体として設けられた突出部が商品より上方に突出する。パッケージされた商品を複数個並べてセット箱に収納する場合、従来は、突出部の立上げ寸法分だけ内部空間に余裕を持たせたセット箱を用いていた。しかしながら、セット箱の内部空間を増大させると、その分だけ物流スペースが増大し、物流コストが上昇するという不都合がある。
【０００４】
本発明はかかる事情に鑑みてなされたものであり、その目的は、パッケージされた商品を複数個並べて収納するセット箱の省スペース化を図り、物流コストの上昇を抑制することである。
【０００５】
また、本発明の別の目的は、包材部品点数を最小化し、セット作業を容易にすることにより、作業性の向上を図ることである。
【０００６】
さらに、本発明の別の目的は、物流過程においてセット箱の省スペース化を図るとともに、ディスプレイ時においてセット箱に収納された収納物の見栄えをよくすることである。
【０００７】
【課題を解決するための手段】
かかる課題を解決するために、第１の発明は、上部より上方に突出した可撓性の突出部が設けられている複数の商品と、商品を複数並べて収納しているとともに、複数のフラップで構成された開閉部が上部に形成されているセット箱とを有する商品収納構造を提供する。ここで、突出部のそれぞれは、開閉部を閉じた状態では、開閉部を構成する一のフラップの押圧力によって変形している。これにより、突出部を変形させた分だけセット箱の内部空間を低減する。また、開閉部を開いた状態では、突出部の材質の復元力によって上方へ起立する。したがって、従来必要とされていた突出部保護用の緩衝材を用いる必要がなくなる。
【０００８】
第２の発明は、上部より上方に突出した可撓性の突出部が設けられている複数の商品と、商品を複数並べて収納しており、複数のフラップで構成された開閉部が上部に形成されおり、かつ、開閉部を含む上部を取り除くためのミシン目が形成されているセット箱とを有する商品収納構造を提供する。ここで、突出部のそれぞれは、セット箱の上部を取り除いていない状態で、かつ、開閉部を閉じた状態では、開閉部を構成する一のフラップの押圧力によって一様に変形している。これにより、突出部を変形させた分だけセット箱の内部空間を低減する。また、突出部のそれぞれは、セット箱の上部を取り除いた状態では、突出部の材質の復元力によって上方へ起立する。その際、突出部を一様に変形させていたので、復帰後の状態もほぼ一様となり、見栄えを損なうことはない。
【０００９】
ここで、第１または第２の発明において、突出部は、商品からの高さが上縁部位によって異なり、最も低い第１の上縁部位と、この第１の上縁部位よりも高い第２の上縁部位とを含む上縁形状を有することが好ましい。この場合、一のフラップは、フラップの付け根からの長さが先端部位によって異なり、最も長い第１の先端部位と、この第１の先端部位よりも長さが短い第２の先端部位とを含む先端形状を有する。そして、一のフラップが突出部を押圧する際、第１の上縁部位と第１の先端部位とが位置的に対応するとともに、第２の上縁部位と第２の先端部位とが位置的に対応する。
【００１０】
また、第１または第２の発明において、一のフラップには、切り込みが設けられていることが好ましい。この切り込みは、フラップの付け根からの距離が切込部位によって異なり、最も距離が長い第１の切込部位と、この第１の切込部位よりも距離が短い第２の切込部位とを含む切込形状を有する。そして、一のフラップが突出部を押圧する際、第１の上縁部位と第１の切込部位とが位置的に対応するとともに、第２の上縁部位と第２の切込部位とが位置的に対応する。
【００１１】
また、このような切り込みは、複数設けられていてもよい。この場合、一のフラップが突出部を押圧する際、切り込みのそれぞれは、個々の商品に設けられた一つの突出部と位置的に対応する。
【００１２】
また、第１または第２の発明において、上記突出部は、貼付ラベルまたは商品と一体形成されたタブであって、商品に関する広告または説明が印刷された印刷面を有することが好ましい。
【００１３】
また、第１または第２の発明において、上記一のフラップは、セット箱の前から後に向かって延在していることが好ましい。この場合、突出部のそれぞれは、セット箱の前後方向に並んでいるとともに、上記一のフラップの押圧力によって、セット箱の後方に倒れていることが望ましい。
【００１４】
また、第１または２の発明において、上記開閉部は、セット箱の前から後に向かって延在する第１のサイドフラップと、セット箱の後から前に向かって延在する第２のサイドフラップと、セット箱の横方向に延在するメインフラップとを有することが好ましい。この第１のサイドフラップは、上記一のフラップに相当し、かつ、セット箱の前面から最後列の突出部までの距離よりも長い延在長を有することが望ましい。
【００１５】
また、第１または２の発明において、上記一のフラップには、このフラップの延在方向に対して垂直な折曲罫線またはミシン目が少なくとも一本設けられていてもよい。
【００１６】
さらに、第１または２の発明において、上記セット箱の底部は、ワンタッチ底であることが好ましく、セット箱の前面下端には、底部よりも下方に延在する突出脚が設けられていることが望ましい。
【００１７】
第３の発明は、上部より上方に突出した可撓性の突出部を有する商品を複数並べてセット箱内に収納する商品収納方法を提供する。この方法は、所定形状に切り抜かれた紙を折り曲げ、所定箇所を接着することによって、複数のフラップで構成された開閉部を上部に有するセット箱を組立てる第１のステップと、開閉部を開いた状態で、商品を複数並べてセット箱内に収納する第２のステップと、開閉部を構成する一のフラップを外側に湾曲させながら閉じていき、一のフラップの押圧力によって、商品のそれぞれが有する突出部を一様に変形させる第３のステップと、一のフラップ上に残りのフラップを重ねて、開閉部を閉じる第４のステップとを有する。
【００１８】
ここで、上記第３のステップは、突出部の上縁部のうち、商品からの高さが最も低い部位を、一のフラップの先端部のうち、フラップの付け根からの長さが最も長い部位で押圧するステップを含んでいてもよい。
【００１９】
【発明の実施の形態】
（第１の実施形態）
本発明を適用した一実施形態を、梱包箱およびディスプレイ箱の双方の機能を兼ね備えたディスプレイ兼用セット箱を例に説明する。図１は、本実施形態に係る商品収納体の物流時における斜視図であり、図２は、店頭等におけるディスプレイ時の斜視図である。
【００２０】
商品収納体１は、商品収納箱２０と、商品収納箱２０を複数個並べて収納したセット箱１０とで構成されている。本実施形態において、商品収納箱２０は、商品そのものであり、ヘアワックスを入れたプラスチック容器である。この容器は、外形は四角いが内部に螺子が切られていて、下部に対して上部を回すことにより開閉することができるジャータイプの容器である。なお、セット箱１０に収納される商品は、上述したように商品そのものであってもよいが、内容物（例えば、口紅等の小物商品）を小箱に個装したパッケージ形態としてもよいのは当然である。また、セット箱１０は、収納された各商品収納箱２０が物流時等にガタつかないように、商品収納箱２０と略同一の幅と高さとを有しており、商品収納箱２０の収納個数相当の奥行きを有している。このセット箱１０の正面には、顧客のアイキャッチを意識した印刷が施されている。
【００２１】
セット箱１０は、略立方体状の箱体であって、前面部１０ａ、後面部１０ｂ、左右の側面部１０ｃ，１０ｄ、底面部１０ｅおよび上面部１０ｆを有する。ここで、上面部１０ｆは、複数のフラップで構成されたフラップタイプの開閉部に相当し、この開閉部を介して商品収納箱２０の出し入れが可能である。底面部１０ｅは、商品収納箱２０の自重によって底が抜けることがないように、クラッシュタイプのワンタッチ底となっている。また、前面部１０ａと、左右の側面部１０ｃ，１０ｄと、後面部１０ｂの上縁とには、図１において一点鎖線で示したようなミシン目１０ｇがそれぞれ形成されている。物流段階において、商品収納箱２０を収納したセット箱１０は、図１に示した立方体形状で取り扱われる。
【００２２】
一方、商品を店頭で陳列する場合（ディスプレイ時）、図１に示したセット箱１０を、図２に示したような形態、すなわち、箱の上部を開口させた状態にする。これは簡単な作業で実現でき、上述したミシン目１０ｇに沿って、セット箱１０を２つに分割し、開閉部を含む箱上部を取り除けばよい。この形態のセット箱１０は、正方形状の底面部１０ｅの４辺から、前面部１０ａ、後面部１０ｂおよび一対の側面部１０ｃ，１０ｄのそれぞれが、底面部１０ｅに対して垂直に立設している。また、露出した商品収納箱２０を顧客が見やすいように、前面部１０ａの高さは商品収納箱２０の高さよりも低く抑えられている。前面部１０ａの下端中央には、底面部１０ｅよりも下方に突出した突出脚１０ｈが設けられている。さらに、一対の側面部１０ｃ，１０ｄは、互いに対称な台形形状を有しており、前面部１０ａと後面部１０ｂとを連結している。
【００２３】
個々の商品収納箱２０は、横長の直方体形状を有するプラスチック製の箱体であって、その内部には、個装すべき商品が収納されている。また、個々の商品収納箱２０の正面上部には、箱２０の上部よりも上方に突出した形態で、ラベル２１が貼付けられている。このラベル２１は、可撓性シート材（例えば、プラスチックフィルム）を所定の形状に切断したものである。また、ラベル２１の印刷面には、個装されている商品に関する広告（キャッチコピー等）または説明（商品内容や注意事項等）が印刷されている。ラベル２１は、その材質の特性である可撓性によって容易に撓み、適度な復元力も有している。
【００２４】
図３は、セット箱１０の平面展開図である。このセット箱１０は、一枚の紙を切り抜き、所定の箇所を接着することによって形成される。なお、同図において、ダッシュ（'）付の符号で示す部位は、ディスプレイ時にミシン目１０ｇによって切り取られる部位を示す（後述する図１０についても同様）。前面部１０ａは、右側の折曲罫線を介して右側面部１０ｄと連結しているとともに、左側の折曲罫線を介して左側面部１０ｃと連結している。また、前面部１０ａの下端中央には、上述した突出脚１０ｈを形成するために、Ｕ字状の切込線が入っており、この切込線の左右に設けられた折曲罫線を介して、前面部１０ａとワンタッチ底片１０ｉとが連結している。このワンタッチ底片１０ｉは、他のワンタッチ底片１０ｊ〜１０ｍと係合して、図１に示した底面部１０ｅを構成する。一方、前面部１０ａは、上端の折曲罫線を介して、第１のサイドフラップ１０ｑと連結している。このサイドフラップ１０ｑは、後述するフラップ１０ｆ，１０ｒとともに、フラップタイプの開閉部を構成する。
【００２５】
右側面部１０ｄは、下端の折曲罫線を介してワンタッチ底片１０ｊと連結しているとともに、上端の折曲罫線を介して上面部１０ｆと連結している。この上面部１０ｆは、サイドフラップ１０ｑ，１０ｒとの関係では、メインフラップに相当するので、以下、メインフラップ１０ｆという。メインフラップ１０ｆには、さらに上端の折曲罫線を介して差込片１０ｐが設けられている。一方、左側面部１０ｃは、下端の折曲罫線を介してワンタッチ底片１０ｋと連結しているとともに、左端の折曲罫線を介して後面部１０ｂと連結している。この後面部１０ｂは、下端の折曲罫線を介してワンタッチ底片１０ｍと連結しているとともに、左端の折曲罫線を介して糊代片１０ｓと連結している。さらに、後面部１０ｂの上端は、折曲罫線を介して第２のサイドフラップ１０ｒと連結している。
【００２６】
なお、第１のサイドフラップ１０ｑの延在長Ｌ１は、第２のサイドフラップ１０ｒの延在長Ｌ２よりも長い。具体的には、第１のサイドフラップ１０ｑの延在長Ｌ１は、図７に示すように、セット箱１０の前面部１０ａから最も離れた最後列のラベル２１ｃまでの距離Ｌよりも長い。
【００２７】
つぎに、図１に示した商品収納体１を製造する方法について説明する。まず、図３に示すように、所定形状に切り抜かれた平面紙を折り曲げ、所定箇所を接着することにより、セット箱１０を組立てる。具体的には、隣接する各面が直角となるように折曲罫線で折り曲げ、糊代片１０ｓと右側面部１０ｄの自由端とを上下方向全長に亘って接着する。そして、適宜の箇所を接着して、４つのワンタッチ底片１０ｉ〜１０ｍを係合させる。このように、セット箱１０の底面部１０ｅをワンタッチ底とすることで、通常の組立作業と同様に、カートナーを用いてセット箱１０を簡単に組立てることができる。
【００２８】
図４は、組み立てたセット箱１０の開閉部の説明図である。この開閉部は、３つのフラップ１０ｆ，１０ｑ，１０ｒで構成されている。一対のサイドフラップ１０ｑ，１０ｒは、セット箱１０の前後に延在しており、第１のサイドフラップ１０ｑは前から後に向かって、第２のサイドフラップ１０ｒは後から前に向かってそれぞれ延在している。また、メインフラップ１０ｆは、セット箱１０の横方向、本実施形態では右から左に向かって延在している。
【００２９】
つぎに、図５に示すように、セット箱１０上部の開閉部を開いた状態で、複数の商品収納箱２０をセット箱１０内に並べて収納する。この状態において、個々の商品収納箱２０の上部よりラベル２１が上方に向けて突出している。
【００３０】
そして、図６に示すように、第１のサイドフラップ１０ｑを外側に湾曲させながら、セット箱１０の前から後に向かって閉じていく。このサイドフラップ１０ｑは、最前列のラベル２１ａ、中段列のラベル２１ｂ、最後列のラベル２１ｃの順で、ラベル２１ａ〜２１ｃに当接する。そして、このフラップ１０ｑが閉じるに従い、上方に突出したラベル２１ａ〜２１ｃは、潰れることなく、横方向（本実施形態では後側）に徐々に変形していく（倒れていく）。フラップ１０ｑが完全に閉じると、ラベル２１ａ〜２１ｃは、最終的には、図７に示すように後側に一様に変形した状態（押し倒された状態）になる。フラップ１０ｑを湾曲変位させることで、ラベル２１ａ〜２１ｃの倒れ方向は一様となり、かつ、ラベル２１ａ〜２１ｃに対して加わる荷重も連続的になる。その結果、フラップ１０ｑを閉じる際に、ラベル２１ａ〜２１ｃの印刷面に折れジワが入ったり、倒れ方向がばらばらになるといった外観不良を防止できる。
【００３１】
最後に、残りのフラップ１０ｒ，１０ｆを閉じる。具体的には、まず、第１のサイドフラップ１０ｑの上に第２のサイドフラップ１０ｒを重ねる。つぎに、メインフラップ１０ｆを重ねた後、メインフラップ１０ｆ端部の差込片１０ｐを左側面部１０ｃ側の隙間に差し込む。以上の一連の作業によって、図１に示した商品収納体１が完成する。
【００３２】
本実施形態に係る商品収納体１は、物流段階では、図１の状態で取り扱われるため、セット箱１０の省容量化を図ることができる。従来は、ラベル２１等の突出部を商品収納箱２０の上部に設けた場合、ラベル２１の立上げ寸法分だけ、セット箱１０の内部空間に余裕を持たせていたため、セット箱１０の容量が増大するという不都合があった。これに対して、本実施形態では、可撓性を有するラベル２１を、サイドフラップ１０ｑの押圧力によって変形させ、最終的には押し倒した収納形態にしている。これにより、セット箱１０の上部を取り除いていない状態で、かつ、開閉部を閉じた状態では、ラベル２１を変形させた分だけ、セット箱１０の内部空間を低減することができる。その結果、物流段階におけるセット箱１０の省スペース化を図ることができるため、物流コストの上昇を抑えることが可能となる。
【００３３】
また、開閉部を含むセット箱１０上部を取り除いた場合、或いは、セット箱１０の開閉部を開いた場合、サイドフラップ１０ｑの押圧によって後倒していたラベル２１は、ラベル２１自身の材質が有する復元力によって上方へ起立する。ラベル２１は、一方向に一様に曲がっていたため、多少の曲げグセが残ったとしても、復元時の状態（曲がりの程度や曲がりの方向）はほぼ一様となる。したがって、ディスプレイ時における見栄えを損なうことはない。さらに、包材部品点数を最小化し、セット作業を容易にすることにより作業性の向上を図ることができる。
【００３４】
特に、本実施形態では、セット箱１０の前から後に向かって延在する第１のサイドフラップ１０ｑで、ラベル２１を後方に押し倒している。したがって、ラベル２１を本来の状態に復帰させた際、ラベル２１は、必ず直立若しくは若干後傾し、前傾してしまうことはない。その結果、セット箱１０の正面より商品を眺める顧客に対して、ラベル２１の印刷面を効果的に見せることができ、収納物に対する顧客のアイキャッチ効果を高めることができる。
【００３５】
さらに、セット箱１０の前面部１０ａ下端には、底面部１０ｅよりも下方に延在する突出脚１０ｈが設けられている。これにより、セット箱１０の前から後に向かって底面部１０ｅが下方に傾斜するため、この傾斜に従い個々の商品収納箱２０も後傾する。したがって、陳列された商品収納箱２０の前倒を効果的に防止できるとともに、商品収納箱２０の正面にプリントされた表記や装飾等を顧客がよく見えるように陳列することができる。
【００３６】
なお、ラベル２１ａ〜２１ｃを押圧するフラップ（本実施形態では、第１のサイドフラップ１０ｑに相当）の変形例として、図８に示すように、このフラップ１０ｑの延在方向に対して垂直な折曲罫線２２を少なくとも一本設けてもよい。また、図９に示すように、フラップ１０ｑの延在方向に対して垂直なミシン目２３を少なくとも一本設けてもよい。これにより、フラップ１０ｑの湾曲変形が一層容易になるので、ラベル２１ａ〜２１ｃの外観不良の発生を一層有効に低減できる。
【００３７】
（第２の実施形態）
図１０は、第２の実施形態に係るセット箱の平面展開図である。このセット箱３０が、第１の実施形態に係るセット箱１０と相違する点は、サイドフラップ１０ｔの先端形状であり、それ以外の点はセット箱１０と同様である。したがって、セット箱３０に関して、図３に示したセット箱１０と同様の構成部位については、同一の符号を付して、ここでの説明を省略する（図１１以降についても同様）。
【００３８】
サイドフラップ１０ｔの先端形状は、略へ字状になっている。ここで、サイドフラップ１０ｔの付け根から先端部位までの長さ（延在長）に着目する。この延在長は、先端部位の位置によって異なり、中央の先端部位Ａの延在長Ｌ３が最も長くなる。以下、延在長が最も長い先端部位Ａを「第１の先端部位」といい、第１の先端部位Ａよりも延在長が短い先端部位を「第２の先端部位」という。ここでは、端部の先端部位Ｂを第２の先端部位とし、その延在長をＬ４とする（Ｌ３＞Ｌ４）。
【００３９】
展開状態のセット箱３０を利用して、図１１に示す商品収納体２を製造する方法について説明する。まず、上述したセット箱１０の組立方法と同様に、セット箱３０の適宜の箇所（糊代片１０ｓと右側面部１０ｄの自由端）を接着し、４つのワンタッチ底片１０ｉ〜１０ｍを係合させる。組み立てたセット箱３０の開閉部は、３つのフラップ１０ｆ，１０ｔ，１０ｒで構成される。一対のサイドフラップ１０ｔ，１０ｒは、セット箱３０の前後に延在しており、第１のサイドフラップ１０ｔは前から後に向かって、第２のサイドフラップ１０ｒは後から前に向かってそれぞれ延在している。また、メインフラップ１０ｆは、セット箱３０の横方向（右から左）に延在している。
【００４０】
つぎに、セット箱３０の開閉部が開いた状態（図１１の状態）で、複数の商品収納箱２０をセット箱３０内に並べて収納する。この状態において、個々の商品収納箱２０の上部より、ラベル２４が上方に向けて突出している。
【００４１】
突出部であるラベル２４は、第１の実施形態に係るラベル２１とは上縁形状が異なり、中央の上縁部位ａが窪んだ略凹状になっている。ここで、ラベル２４の付け根から上縁部位までの高さ（突出高）に着目する。この突出高は、上縁部位の位置によって異なり、中央の上縁部位ａの突出高Ｈ１が最も低くなる。以下、突出高が最も低い上縁部位ａを「第１の上縁部位」といい、第１の上縁部位ａよりも突出高が高い上縁部位を「第２の上縁部位」という。ここでは、端部の上縁部位ｂを第２の上縁部位とし、その突出高をＨ２とする（Ｈ１＜Ｈ２）。
【００４２】
一方、第１のサイドフラップ１０ｔの先端形状は、突出部であるラベル２４の上縁形状と対応している。具体的には、このサイドフラップ１０ｔがラベル２４を押圧する際、突出高がＨ１である第１の上縁部位ａは、サイドフラップ１０ｔ側の第１の先端部位Ａと位置的に対応する。また、突出高がＨ２である第２の上縁部位ｂは、サイドフラップ１０ｔ側の第２の先端部位Ｂと位置的に対応する。ラベル２４の突出高とサイドフラップ１０ｔの延在長とは大小関係が反対になっており、上縁部位の突出高が低いほど、それに対応する先端部位の延在長が長くなっている。
【００４３】
つぎに、第１の実施形態と同様に、サイドフラップ１０ｔを外側に湾曲させながらラベル２４を押圧し、ラベル２４ａ〜２４ｃを後方に順次倒していく。最後方のラベル２４ｃを押圧する過程では、まず、突出高が最も低い第１の上縁部位ａが、延在長が最も長い第１の先端部位Ａによって押圧される。この押圧初期の段階において、突出高が高い第２の上縁部位ｂは、延在長が短い第２の先端部位Ｂと離間しているか、若しくは、軽く接触する程度に留まっている。そのため、最後方のラベル２４ｃは、突出高が低い第１の上縁部位ａを主体とした押圧によって、後倒していく。
【００４４】
最後に、残りのフラップ１０ｒ，１０ｆを閉じる。具体的には、第１のサイドフラップ１０ｔの上に第２のサイドフラップ１０ｒを重ねる。つぎに、メインフラップ１０ｆを重ねた後、メインフラップ１０ｆ端部の差込片１０ｐを左側面部１０ｃ側の隙間に差し込む。以上の一連の作業によって、セット箱３０を使用した商品収納体２が完成する。
【００４５】
本実施形態でも、第１の実施形態と同様に、物流コストの上昇を抑え、ディスプレイ時における見栄えを確保し、作業性の向上を図ることができる。それとともに、特に、本実施形態では、サイドフラップ１０ｔの先端形状を最後方のラベル２４の上縁形状に対応させることで、最後方のラベル２４ｃの押圧時に、ラベル２４ｃが前倒してしまったり、潰れたりすることを有効に防止する。その結果、ラベル２４ａ〜２４ｃの倒れ方向が一様になり、外観不良の発生を防止できるので、ラベル２４の形状に起因した意匠的効果と相まって、アイキャッチ効果の一層の向上を図ることができる。
【００４６】
この点を詳述する。一般に、ラベル２４の突出高が高いほど、可撓性を有するラベル２４の起立性が不安定になる傾向がある。そのため、ラベル２４の倒れ方向を一様するという観点でいえば、高い位置よりラベル２４を押圧するのは不利であり、ラベル２４の付け根に近い部分を押圧することが好ましい。また、商品収納箱２０とは別体でラベル２４を形成した場合、形成・出荷時のラベル紙の巻き方向、或いは、ラベル２４の厚み・材質等に起因して、ラベル２４がカールし易い。カールしたラベル２４を商品収納箱２０の上部に取り付けると、ラベル２４が前方に湾曲しながら起立する。ラベル２４の前方への変位量は、ラベル２４の付け根の部分は小さく、上方へ向かうほど大きくなる。したがって、前方に湾曲しているラベル２４を適切に後倒させるためには、高い位置よりラベル２４を押圧するのは、やはり不利であり、ラベル２４の付け根に近い部分を押圧することが好ましい。
【００４７】
そこで、本実施形態では、ラベル２４ａ〜２４ｃの内、最も高い位置より押圧される最後方のラベル２４ｃ（それゆえに、潰れ等が生じ易い）に注目し、極力下側を押圧すべく、サイドフラップ１０ｔの先端形状を工夫している。サイドフラップ１０ｔがラベル２４ｃを押圧する過程において、まず、サイドフラップ１０ｔの第１の先端部位Ａ（中央の尖った部位）のみがラベル２４ｃの第１の上縁部位ａ（中央の窪んだ部位）と当接する（他の部位Ｂ，ｂ同士は当接しない）。一方、ラベル２４ｃの上縁形状に関して、第１の先端部位Ａと当接する第１の上縁部位ａは、第２の上縁部位ｂよりも低く形成されている。そのため、ラベル２４ｃは、突出高方向において、最も高い位置よりもΔＨ（＝Ｈ２−Ｈ１）だけ低い位置で押圧されることになる。ラベル２４ｃの押圧位置がΔＨ低くなったので、その分だけ、可撓性を有するラベル２４ｃの起立性が安定するとともに、カールに起因したラベル２４ｃの前方への変位量も少なくなる。その結果、第１の実施形態と比較して、ラベル２４ｃが前倒したり、潰れたりする可能性を一層効果的に低減できる。
【００４８】
なお、上述した実施形態では、サイドフラップ１０ｔの先端形状を略へ字状としているが、本発明はこれに限定されるものではない。この先端形状は、ラベル２４ｃの上縁形状との協働によって上述した作用を生じる限り、ラベル２４の上縁形状に応じて任意に設定することができる。
【００４９】
サイドフラップの変形例として、図１２（ａ），（ｂ）に示すように、先端部位の両側（第１の先端部位Ａ，Ａ’）が尖っており、中央部位（第２の先端部位Ｂ）が直線的に窪んでいる略凹形状のサイドフラップ１０ｕ，１０ｖが挙げられる。第１の先端部位Ａ，Ａ’の延在長をそれぞれＬ５，Ｌ５’とし、第２の先端部位Ｂの延在長をＬ６とすると、Ｌ５，Ｌ５’＞Ｌ６になる。この場合、図１３（ａ）に示すように、対応するラベル２５の上縁形状は、両側の上縁部位（第１の上縁部位ａ，ａ’）が窪んでおり、中央の上縁部位（第２の上縁部位ｂ）が突出した略凸形状になる。第１の上縁部位ａ，ａ’の突出高をそれぞれＨ３，Ｈ３’とし、第２の上縁部位ｂの突出高をＨ４とすると、Ｈ３，Ｈ３’＜Ｈ４になる。
【００５０】
また、サイドフラップの別の変形例としては、図１２（ｃ）に示すように、片側（右側）に偏って尖った先端形状のサイドフラップ１０ｗが挙げられる（Ｌ７＞Ｌ８）。この場合、図１３（ｂ）に示すように、対応するラベル２６の上縁形状は、片側（右側）が窪んでいるような形状になる（Ｈ３’＜Ｈ４）。
【００５１】
（第３の実施形態）
図１４は、第３の実施形態に係るサイドフラップを示す説明図である。このサイドフラップ１０ｘには、複数の切り込み１１ａ，１１ｂが設けられており、各切り込み１１ａ，１１ｂは、各ラベル２４と位置的に対応する。各切り込み１１ａ，１１ｂの切込形状は、サイドフラップ１０ｔの先端形状と同様に、略へ字状になっている。ここで、サイドフラップ１０ｘの付け根から切り込み１１ａ，１１ｂまでの各距離に着目する。例えば、切り込み１１ａに関して、この距離は、切込部位の位置によって異なり、中央の切込部位Ａ１の距離Ｌ３ａが最も長くなる。以下、距離が最も長い切込部位Ａ１を「第１の切込部位」といい、第１の切込部位Ａ１よりも距離が短い切込部位を「第２の切込部位」という。ここでは、端部の切込部位Ｂ１を第２の切込部位とし、その延在長をＬ４ａとする（Ｌ３ａ＞Ｌ４ａ）。同様に、切り込み１１ｂに関して、第１の切込部位Ａ２の距離をＬ３ｂ、第２の切込部位Ｂ２の距離をＬ４ｂとする（Ｌ３ｂ＞Ｌ４ｂ）。
【００５２】
これらの切り込み１１ａ，１１ｂは、上述したサイドフラップ１０ｔの先端部位と同様の作用を奏する。サイドフラップ１０ｘを外側に湾曲させながらラベル２４ａ〜２４ｃを押圧する場合、サイドフラップ１０ｘの湾曲面に対して、切り込み１１ａ，１１ｂが斜めに起立し、対応する各ラベル２４ａ，２４ｂの下側を押圧する。その結果、ラベル２４ａ，２４ｂの倒れ方向にばらつきが生じたり、潰れたりすることを防止し、外観不良の発生を一層有効に低減する。
【００５３】
図１５は、本実施形態に係るサイドフラップの変形例を示す説明図である。このサイドフラップ１０ｙには、商品収容箱２０の個数と収納位置とに対応し、３本の切り込み１１ｃ〜１１ｅが設けられている。最先端の切り込み１１ｃは、第１の先端部位Ａ３と第２の先端部位Ｂ３とを有する。サイドフラップ１０ｙを湾曲させた場合、この切り込み１１ｃは、その湾曲面より斜め方向に起立する。そして、図１０または図１４に示した第１の先端部位Ａと第２の先端部位Ｂと同様の作用によって、切り込み１１ｃは、最後方のラベル２４ｃの下側を押圧する。また、前方の２つの切り込み１１ｄ，１１ｅは、図１４に示したサイドフラップ１０ｘの切り込み１１ａ，１１ｂと同等に作用し、前方の２つのラベル２４ａ，２４ｂの下側をそれぞれ押圧する。
【００５４】
本実施形態によれば、上述した各実施形態と同様の効果を有する。それとともに、サイドフラップ１０ｘ（または１０ｙ）に切り込み１１ａ，１１ｂ（または１１ｃ〜１１ｅ）を設けることにより、ラベル２４ａ〜２４ｃの倒れ方向のばらつきや潰れを一層効果的に防止できる。
【００５５】
なお、本発明は、上述した実施形態に限定されるものではない。例えば、セット箱の内部空間の低減という観点で見れば、ディスプレイ機能を有さないセット箱に対しても本発明を適用可能である。また、商品収納箱の上部より突出した突出部は、上述した実施形態のように別体のラベルを貼付けてもよいが、商品収納箱と一体形成した可撓性のタブや吊掛用のフック等であってもよい。ただし、ディスプレイ時における見栄えという観点でいえば、商品に関する広告または説明が印刷された印刷面を有するもの、特に、アイキャッチ効果が要求される広告ラベルや広告タブ等に適用することが好ましいであろう。
【００５６】
【発明の効果】
このように、本発明によれば、パッケージングされた商品を複数並べて収納するセット箱の省容積化を図ることにより、物流コストの上昇を抑えることができる。それとともに、特にディスプレイ兼用セット箱では、ディスプレイ時における収納物の見栄えを良くし、アイキャッチ効果の向上を図ることができる。さらに、包材部品点数を最小化し、セット作業を容易にすることにより作業性の向上を図ることができる。
【図面の簡単な説明】
【図１】第１の実施形態に係る商品収納体の物流時における斜視図
【図２】商品収納体のディスプレイ時における斜視図
【図３】セット箱の平面展開図
【図４】セット箱の開閉部の説明図
【図５】商品収納箱の収納説明図
【図６】サイドフラップによって曲げられるラベルの状態を示す図
【図７】サイドフラップによって押し倒されたラベルの状態を示す図
【図８】折曲罫線が設けられたフラップの説明図
【図９】ミシン目が設けられたフラップの説明図
【図１０】第２の実施形態に係るセット箱の平面展開図
【図１１】第２の実施形態に係る商品収納箱の別の一例を示す収納説明図
【図１２】第２の実施形態に係るサイドフラップの変形例を示す説明図
【図１３】第２の実施形態に係るラベルの変形例を示す説明図
【図１４】第３の実施形態に係るサイドフラップを示す説明図
【図１５】第３の実施形態に係るサイドフラップの変形例を示す説明図
【符号の説明】
１  ２  商品収納体
１０  ３０  セット箱
１０ａ  前面部
１０ｂ  後面部
１０ｃ，１０ｄ  側面部
１０ｅ  底面部
１０ｆ  上面部（メインフラップ）
１０ｇ  ミシン目
１０ｈ  突出脚
１０ｉ〜１０ｍ  ワンタッチ底片
１０ｐ  差込片
１０ｑ  １０ｔ〜１０ｙ  第１のサイドフラップ
１０ｒ  第２のサイドフラップ
１０ｓ  糊代片
２０  商品収納箱
２１  ２４  ラベル
２２  折曲罫線
２３  ミシン目
【図１】
0004008259.tif 000002
【図２】
0004008259.tif 000003
【図３】
0004008259.tif 000004
【図４】
0004008259.tif 000005
【図５】
0004008259.tif 000006
【図６】
0004008259.tif 000007
【図７】
0004008259.tif 000008
【図８】
0004008259.tif 000009
【図９】
0004008259.tif 000010
【図１０】
0004008259.tif 000011
【図１１】
0004008259.tif 000012
【図１２】
0004008259.tif 000013
【図１３】
0004008259.tif 000014
【図１４】
0004008259.tif 000015
【図１５】
0004008259.tif 000016